(57)【要約】      （修正有）【課題】顧客の携帯端末装置からクーポンを入手可能なクーポン配信システムを提供する。【解決手段】クーポン配信システム１００において、携帯端末装置１は、アプリケーションサーバ２からクーポン取得アプリをダウンロードする。携帯端末装置１は、クーポン取得アプリを起動すると、クーポンサーバ３からクーポンデータを入手し、クーポンデータに基づいてクーポン画面を表示する。そして、クーポン画面のクーポン使用ボタンが操作されると、クーポン使用情報をクーポンサーバ３へ送信すると共に、クーポンの特典内容をバーコードによるクーポンコードで示すクーポン詳細画面を表示する。クーポンサーバ３は、クーポン使用情報により当該携帯端末装置１によるクーポンの使用済みを記録する。そして、ＰＯＳ端末６は、携帯端末装置１に表示されているクーポンコードを読み取ることでクーポンの使用を可能にする。【選択図】図１
2018045473.tif 000002
【特許請求の範囲】
【請求項１】
携帯端末装置と、クーポン取得アプリケーションを配信するアプリケーションサーバと、クーポンを配信するクーポンサーバと、クーポン処理を行うクーポン処理機と、を備えるクーポン配信システムであって、
前記アプリケーションサーバは、前記携帯端末装置からの要求に応答してクーポン取得アプリケーションを配信し、
前記携帯端末装置は、前記クーポン取得アプリケーションを実行することにより、
前記クーポンサーバからクーポンデータを入手するクーポンデータ通信手段と、
前記クーポンデータに基づいてクーポン画面を表示するクーポン表示手段と、
前記クーポン画面に表示されているクーポン使用ボタンが操作されたとき、クーポン使用情報を前記クーポンサーバへ送信すると共に、クーポンの特典内容を示すクーポンコードを表示しているクーポン詳細画面を表示するクーポン取得手段と、の各手段を取得し、
前記クーポンサーバは、
アクセスしてきた前記携帯端末装置に前記クーポンデータを送信するクーポン配信手段と、
前記携帯端末装置から前記クーポン使用情報が送信されると、当該携帯端末装置によるクーポンの使用済みを記録するクーポン管理手段と、を備え、
前記クーポン処理機は、前記クーポンコードの読み取りに基づいてクーポンの使用を可能にすることを特徴とするクーポン配信システム。
【請求項２】
前記クーポン処理機は、販売時点管理システムにおいて顧客の買い物の精算処理を行う精算端末機であって、前記クーポンコードに示されている特典内容に従ってポイント提供処理又は割引処理を行うことを特徴とする請求項１に記載のクーポン配信システム。
【請求項３】
前記クーポン処理機は、前記クーポン画面に表示されている特典内容を表示するクーポン券をプリントして発行するクーポン券発行機であることを特徴とする請求項１に記載のクーポン配信システム。
【請求項４】
前記クーポンサーバは、販売時点管理システムが管理している購買データに基づいて、クーポンを発行する所定の条件を有している顧客の前記携帯端末装置に前記クーポンデータを送信することを特徴とする請求項１に記載のクーポン配信システム。
【請求項５】
前記携帯端末装置は、前記クーポン取得アプリケーションを実行することで実現される新規会員登録手段をさらに有して、
前記クーポンサーバは、前記新規会員登録手段によって会員登録が行われた前記携帯端末装置に前記クーポンデータを送信することを特徴とする請求項１に記載のクーポン配信システム。
【発明の詳細な説明】
【技術分野】
【０００１】
本発明は、小売店舗において顧客の所持する携帯端末装置にクーポンを配信するクーポン配信システムに関する。
【背景技術】
【０００２】
従来から、小売店等においては、顧客が商品やサービスを購入したとき、事前に発行したクーポンを提示することで特典を提供することが行われてきている。これらのクーポンは、チラシや刊行物等の紙の媒体物に設けられて顧客に配布される。また、インターネットのウェブ上の当該店舗のホームページを訪れた顧客が、そこにアップされているクーポンをプリントアウトすることで入手する方法も用いられている。しかしながら、何れの場合も紙媒体でのクーポンであるため、必要時に備えて持ち歩かなければならず紛失の虞もある。
【０００３】
しかも、クーポンによる顧客サービスは、店舗側にとっては、クーポン使用による顧客を一時的に呼び込めても、その後もこの顧客が継続して店に訪問してもらえるとは限らない。
【０００４】
一方、近年においては、サーバから顧客が所持する携帯端末装置にクーポンを電子的に配信することで、紙媒体を省略するクーポン配信システムが取り入れられてきている。その中でも、クーポン配布サーバが顧客の携帯端末装置にクーポンを定期的に配布するシステムが知られている（例えば、特許文献１を参照）。このように、店舗側からクーポンを定期的に配布すれば顧客を繋ぎとめることができる。
【先行技術文献】
【特許文献】
【０００５】
【特許文献１】特開２０１４−２６８２号公報
【発明の概要】
【発明が解決しようとする課題】
【０００６】
しかしながら、特許文献１に開示されたクーポン配信システムは、予め配布することになっている顧客にしかクーポンが配布されないため、クーポンを用いることで店舗への集客を高める効果は限定的なものとなる。また、配布してもクーポン使用に興味を示さない顧客も存在し、狙いとする集客率の向上にはつながっていない。
【０００７】
本発明は、上記点に鑑み、電子的にクーポンを配信するシステムにおいて、クーポンを必要とする顧客から自由にクーポンを取得することができるクーポン配信システムを提供することを目的としている。
【課題を解決するための手段】
【０００８】
上記改題を解決するために、本発明によるクーポン配信システムは、携帯端末装置と、クーポン取得アプリケーションを配信するアプリケーションサーバと、クーポンを配信するクーポンサーバと、クーポン処理を行うクーポン処理機と、を備えるクーポン配信システムであって、前記アプリケーションサーバは、前記携帯端末装置からの要求に応答してクーポン取得アプリケーションを配信し、前記携帯端末装置は、前記クーポン取得アプリケーションを実行することにより、前記クーポンサーバからクーポンデータを入手するクーポンデータ通信手段と、前記クーポンデータに基づいてクーポン画面を表示するクーポン表示手段と、前記クーポン画面に表示されているクーポン使用ボタンが操作されたとき、クーポン使用情報を前記クーポンサーバへ送信すると共に、クーポンの特典内容を示すクーポンコードを表示しているクーポン詳細画面を表示するクーポン取得手段と、を備え、前記クーポンサーバは、アクセスしてきた前記携帯端末装置に前記クーポンデータを送信するクーポン配信手段と、前記携帯端末装置から前記クーポン使用情報が送信されると、当該携帯端末装置によるクーポンの使用済みを記録するクーポン管理手段と、を備え、前記クーポン処理機は、前記クーポンコードの読み取りに基づいてクーポンの使用を可能にしている。
【０００９】
前記クーポン処理機は、販売時点管理システムにおいて顧客の買い物の精算処理を行う精算端末機であって、前記クーポン画面に表示されている特典内容に従った処理を行う。よって、特典の内容がポイントの提供であれば、精算端末機は販売時点管理システムに特典ポイントを登録し、特典の内容が精算時における割引であれば、精算端末機は精算金額の割引処理を行う。
【００１０】
前記クーポン処理機は、前記クーポン画面に表示されている特典内容を表示するクーポン券をプリントして発行するクーポン券発行機であってもよい。
【００１１】
また、前記クーポンサーバは、販売時点管理システムが管理している購買データに基づいて、クーポンを発行する所定の条件を有している顧客の前記携帯端末装置に前記クーポンデータを送信することで、購買実績に応じて差別化したクーポンを発行することができる。
【００１２】
そして、前記携帯端末装置は、前記クーポン取得アプリケーションを実行することで実現される新規会員登録手段をさらに有して、前記クーポンサーバは、前記新規会員登録手段によって会員登録が行われた前記携帯端末装置に前記クーポンデータを送信するシステムとすることで、顧客は携帯端末装置から簡単に会員登録を行うことができ、店舗側にとってはクーポン配信会員の増大につながる。
【発明の効果】
【００１３】
本発明によると、ネットを利用してアプリケーションソフトウェアが入手可能な携帯端末装置のユーザであれば、顧客はクーポンを自由に入手することが可能なため、クーポンの配布範囲が限定されず、クーポンサービスを利用した効果的な販売促進効果が期待できる。
【図面の簡単な説明】
【００１４】
【図１】本発明に係わるクーポン配信システムの全体構成を説明するブロック図を示す。
【図２】図1における携帯端末装置とクーポンサーバの機能構成を説明するブロック図を示す。
【図３】（ａ）は購買データベースに蓄積されている購買データの構成を模式図で示し、（ｂ）はクーポンデータベースに蓄積されているクーポンデータの構成を模式図で示す。
【図４】クーポン取得アプリを用いて携帯端末装置からクーポンサーバにクーポン配信会員に新規登録するまでの処理の流れを示す。
【図５】クーポン取得アプリを起動したときに表示される機能選択のアイコン画面を模式的に示す。
【図６】クーポン配信会員に新規登録するときに携帯端末装置に表示される画面を模式的に示す。
【図７】携帯端末装置にクーポンを取り込んで使用するまでの処理の流れを示す。
【図８】携帯端末装置が配信されたクーポンの表示画面を模式的に示す。
【発明を実施するための形態】
【００１５】
本発明の実施の形態について、図面を参照しながら詳細に説明する。
【００１６】
図１は、本実施形態のクーポン配信システム１００の全体構成を示す図である。ネットワーク５は、インターネット、ＬＡＮ（Ｌｏｃａｌ  Ａｒｅａ  Ｎｅｔｗｏｒｋ）、電話回線、移動体通信網等を含む通信ネットワークで、携帯端末装置１と、アプリケーションサーバ２と、クーポンサーバ３と、ＰＯＳシステム４との間で情報の送受信を可能にしている。
【００１７】
携帯端末装置１は、ＨＴＭＬ（ＨｙｐｅｒＴｅｘｔ  Ｍａｋｅｕｐ  Ｌａｎｇｕａｇｅ）文書の表示やアプリケーションの受信、入力フォームを通じた情報送信を行うことができる、典型的にはスマートフォン等の携帯端末機である。
【００１８】
アプリケーションサーバ２は、携帯端末用アプリケーションソフトウェアのダウンロードサイトを運営するものである。そして、携帯端末装置１は、このウェブサイトから、特定の小売店又はチェーン展開している同系列の複数の小売店で使用可能なクーポンを入手するためのアプリケーションソフトウェア（以下、「アプリ」という）であるクーポン取得アプリをダウンロードする。クーポン取得アプリには、携帯端末装置１がクーポンサーバ３に対してクーポン配信会員であるユーザＩＤを登録する会員登録ソフトウェアと、携帯端末装置１が登録されたユーザＩＤを用いてクーポンデータをクーポンサーバ３から取得するクーポン入手ソフトウェアとが含まれている。
【００１９】
携帯端末装置１は、アプリケーションサーバ２から入手したクーポン取得アプリ１０を起動することで、図２に示すように、新規会員登録手段１１と、ユーザＩＤをクーポンサーバ３に送信しクーポンデータ（電子クーポン）を入手するクーポンデータ通信手段１２と、クーポンデータに基づいて表示画面１ａにクーポン画面Ｃ１（図８に図示）を表示するクーポン表示手段１３と、このクーポン画面Ｃ１に表示されているクーポン使用ボタンＰが操作されたとき、クーポン使用情報をクーポンサーバ３へ送信すると共に、クーポンでの特典内容をバーコード又はＱＲコード（登録商標）等の二次元コードで示すクーポン詳細画面Ｃ２（図８に図示）を表示画面１ａに表示するクーポン取得手段１４の各手段を取得する。
【００２０】
クーポンサーバ３は、携帯端末装置１との間でメールの送受信を行うメールサーバ部３Ａと、ウェブページを提供するウェブサーバ部３Ｂと、携帯端末装置１へのクーポンの配信を管理するクーポン管理サーバ部３Ｃとを備えている。これらのサーバ部３Ａ，３Ｂ，３Ｃから構成されるクーポンサーバ３を機能の側面からより詳しく説明すると、図２に示すように、会員登録受付手段１５と、携帯端末装置１にクーポンデータを送信するクーポン配信手段１６と、携帯端末装置１からクーポン使用情報が送信されると、当該携帯端末装置１によるクーポンの使用済みを記録するクーポン管理手段１７の各機能を備えている。
【００２１】
ＰＯＳ（Ｐｏｉｎｔ  ｏｆ  Ｓａｌｅｓ：販売時点管理）システム４は、各小売店に設置されるキャッシュレジスタである精算端末機（ＰＯＳ端末）６に登録される顧客が購入した商品の商品コードやその個数、売上金額等の販売データを収集して、購買データベース４ａで管理する。また、ＰＯＳシステム４は、小売店での買い物精算時における精算額に応じて顧客に提供され、その累計残高に応じた特典が得られるポイント提供サービスでのポイント管理も行う。
【００２２】
図３（ａ）は、購買データベース４ａに蓄積されている購買データの中で特にポイント配信会員毎に管理しているデータの構成例を模式的に示しており、ポイントカード番号に関連付けて、ポイント点数・買い上げ商品の商品コードと個数・顧客の性別・購入日・累計の来店回数及び買上金額等の各項目のデータで構成されている。
【００２３】
本実施形態においては、ＰＯＳ端末６はクーポン処理機を兼ねており、店舗内の商品に割り振られている商品コードを読み取るためのスキャナー６ｃを用いて、携帯端末装置１の表示画面１ａに表示されているクーポン詳細画面Ｃ２のクーポンコードＣＤを読み取り可能にしている。
【００２４】
クーポンコードＣＤに示されている特典内容はボーナスポイントの提供であり、ＰＯＳ端末６は、ポイントカード番号と共にこのクーポンコードにＣＤに表示されているポイント数をＰＯＳシステム４へ送信することで、ＰＯＳシステム４は販売データベース４ａに当該顧客の保持するポイント点数にボーナスポイント数を加算する。
【００２５】
図４は、上記構成のクーポン配信システム１００において、携帯端末装置３がクーポン取得アプリを取得し、このクーポン取得アプリからクーポンサーバ３にクーポン配信会員を新規登録するまでの処理の流れを示している。顧客は携帯端末装置１を操作して、アプリケーションサーバ２にアクセスする（Ｓ１）。アプリケーションサーバ２は、携帯端末装置１からのアプリの送信要求に応答してクーポン取得アプリを送信し（Ｓ２）、顧客は携帯端末装置１にダウンロードしたクーポン取得アプリをインストールする（Ｓ３）。
【００２６】
顧客がクーポン取得アプリを起動すると（Ｓ４）、携帯端末装置１の表示画面１ａには図５に示す操作選択のアイコン画面が表示される（Ｓ５）。このアイコン画面は、携帯端末装置１がクーポン取得アプリを実行することで達成される各種機能がそれぞれのアイコンで表示されている。本例では、新規登録に操作されるアイコンＩ１、クーポンの入手時に操作されるアイコンＩ２、店舗検索時に操作されるアイコンＩ３が表示されている。
【００２７】
顧客がクーポン配信会員への新規登録アイコンＩ１を操作すると（Ｓ６）、クーポン取得アプリ１０の実行による新規会員登録手段１１は、携帯端末装置１のメーラーを駆動して空メールをクーポンサーバ３のメールサーバ部３ａへ送信する（Ｓ７）。そして、メールサーバ部３ａは、ウェブサーバ３が開設しているクーポン配信の会員登録を受け付けるサブサイトのＵＲＬ（Ｕｎｉｆｏｒｍ
Ｒｅｓｏｕｒｃｅ Ｌｏｃａｔｏｒ）が表示されているメールを携帯端末装置１へ送信する（Ｓ８）。
【００２８】
顧客が受信メールに表示されているＵＲＬをタップして会員登録受付サブサイトにアクセスすると（Ｓ９）、クーポンサーバ３のウェブサーバ部３ｂが入力画面のウェブページを携帯端末装置１へ送信する（Ｓ１０）。このウェブページの閲覧で携帯端末装置１の表示画面１ａには、図６に示すように、登録に必要なメールアドレス・パスワード・性別・生年月日・ポイントカード番号・お気に入り店舗（よく利用する店舗）の各入力欄が表示されており、自動的に表示されているメールアドレス以外の各項目について顧客により入力されて、送信ボタンＳがタップされることでウェブサーバ部３ｂには入力された顧客のこれら属性情報が送信される（Ｓ１１）。
【００２９】
そして、クーポンサーバ３のクーポン管理サーバ部３ｃは、ウェブサーバ部３ｂが受信したこれらの属性情報をクーポンデータベース７に蓄積する（Ｓ１２）。図３（ｂ）は、クーポンデータベース７に蓄積されているクーポンデータの構成例を模式的に示しており、このとき、クーポン管理サーバ部３ｃは、ＰＯＳシステム４と通信して、このとき取得したポイントカード番号に関連して購買データベース４ａに蓄積されている来店回数や買上金額のデータを収集し、ポイントカード番号に紐付けて属性情報と共に蓄積する。
【００３０】
続いて、クーポン管理サーバ部３ｃは、当該携帯端末装置１を識別する識別情報を作成してこの携帯端末装置１に送信すると共に、携帯端末装置１はこの識別情報もポイントカード番号に関連付けてクーポンデータベース７に記憶する（Ｓ１３）。よって、クーポンデータベース７において、ポイントカード番号に関連させたクーポンデータの１レコードには、識別情報の記憶部が設定されている。加えて、クーポンデータの１レコードには、クーポンの使用済みの記憶部も設定されているが、これについては後に明らかとなる。そして、クーポンサーバ３における上記のＳ８，Ｓ１０，Ｓ１２，Ｓ１３の各処理は、会員登録受付手段１５の機能を構成している。尚、クーポンデータの１レコードには、クーポンが使用されたことを示す後述する使用済みデータの記憶部が設けられている。
【００３１】
顧客が図５に示すアイコン画面において、クーポンアイコンＩ２が操作されるとクーポンの配信となるが、この場合、上述の新規会員登録により携帯端末装置１には前記識別情報が記憶されていなければならない。図７は、本実施形態のクーポン配信システム１００において、携帯端末装置３がクーポンを取得し使用するまでの処理の流れを示している。
【００３２】
携帯端末装置１は、クーポンアイコンＩ２が操作されると（Ｓ２１）、クーポン取得アプリ１０によるクーポンデータ通信手段１２が新規会員登録時に割り振られた識別情報をクーポン配信サーバ３に送信する（Ｓ２２）。そして、クーポン管理サーバ３ｃは、当該識別情報に該当するポイントカード番号の顧客がクーポン発行の条件を有しているか否かで発行の是非を判定する（Ｓ２３）。この場合、クーポン発行の条件及び特典の内容は予め店舗側からクーポンサーバ３によって指示されている。例えば、新規登録会員又は登録会員全員や一定期間での買い上げ金額が所定金額を超えている等である。そして、特典の内容としては、所定のポイント数の贈呈や精算時における割引等である。
【００３３】
また、発行の是非判定では、クーポンデータベース７に当該識別情報に関連して使用済み情報が記憶されているかも判別されて、記録されていればクーポンの発行を不可とする。これにより、同一のクーポンの二重発行を防止している。
【００３４】
そして、クーポン管理サーバ部３ｃは、このような発行条件を満たしているとクーポンデータを送信する（Ｓ２４）。クーポンサーバ３における上記のＳ２３及びＳ２４の処理は、クーポン配信手段１６の機能を構成している。
【００３５】
携帯端末装置１はクーポンデータを受信すると、クーポン取得アプリ１０によるクーポン表示手段１３は、携帯端末装置１は送信されてきたクーポンデータを表示する（Ｓ２５）。
【００３６】
図８は、クーポンデータにより表示画面１ａに表示されるクーポン画面を模式的に示している。このクーポン画面で表示されているクーポン券は新規登録会員に１００ポイントを贈呈するもので、図８（ａ）のクーポン画面はこの特典内容のクーポンを一覧形式で表示している。よって、他の発行条件による複数のクーポンデータが送られてきている場合には、この画面で一覧表示されることになる。
【００３７】
顧客はこのクーポン画面での矢印「＞」をタップすると、クーポンが「開封」されたことになり、図８（ｂ）のクーポン画面Ｃ１へと切り替わる。このクーポン画面Ｃ１では、１００ポイントが贈呈されることに加えて、クーポンの有効期間や利用可能回数が表示されている。また、この画面には、クーポン使用ボタンＰが表示されており、顧客がこのボタンＰをタップすることで、クーポン取得アプリ１０によるクーポン取得手段１４はクーポンが「使用」されたと判別し、クーポン管理サーバ部３Ｃにクーポン使用情報及び識別情報を送信する（Ｓ２６）。
【００３８】
クーポン管理サーバ部３Ｃではクーポン使用情報と識別情報とを受信すると、クーポンデータベース７において、この識別情報に関連してクーポンの使用済みを記録する（Ｓ２７）。本例ではこのクーポンの使用は1回となっているが、複数回使用可能なクーポンに設定していれば、その回数で使用されるとクーポンの使用済みを記録することになる。
【００３９】
携帯端末装置１は、クーポン使用ボタンＰのタップにより、クーポン表示手段１３が表示画面１ｃに図８（ｃ）に示すクーポン詳細画面Ｃ２を表示する（Ｓ２８）。このクーポン詳細画面Ｃ２では、クーポンコードＣＤはバーコードで特典内容を表示している。
【００４０】
そして、顧客は、このクーポン詳細画面Ｃ２を店舗側に提示することで、クーポン処理機を介して画面に表示されている特典内容を獲得することができる。本例では、ＰＯＳ端末機４ａがクーポン処理機を兼ねており、店舗側ではスキャナー６ｃによってクーポンコードＣＤを読み取ることで特典を当該顧客に提供する。ポイントを顧客に提供する場合には、このとき顧客が所持しているポイント会員カードを提示することで、ＰＯＳ端末機４ａはポイントカード番号と特典のポイント点数とをＰＯＳシステム４へ送信する。これにより、ＰＯＳシステム４では、通常のポイント加算処理と同様に、送られてきたポイントカード番号に関連付けて特典分のポイント点数を加算する。
【００４１】
加えて、このときＰＯＳシステム４がクーポンコードＣＤを読み取ったＰＯＳ端末機４ａを設置している店舗を示す店舗コードとポイントカード番号とをクーポンサーバ３に送信するようにすれば、クーポン管理サーバ部３Ｃではクーポンが使用された時期と店舗とを顧客別に管理することができる。
【００４２】
一方、クーポンの特典が割引であればクーポンコードＣＤには割引率が示されており、顧客が買い物の精算時にクーポン詳細画面を提示すれば、ＰＯＳ端末機４ａは精算金額から割引処理を行う。また、ＰＯＳ端末機４ａは、精算時にレシートを発行するプリンタを用いて、スキャナー６ｃがクーポンコードＣＤを読み取ったときにその特典内容を印字することでクーポン券を発行するようにしてもよい。クーポン券を発行するのであればＰＯＳ端末機４ａとは限らず、クーポンコードＣＤを読み取るスキャナーを備えた専用のクーポン発券機であってもよい。
【００４３】
顧客は図５に示すアイコン画面において、店舗検索アイコンＩ３を操作すると、店舗検索を行うことができる。この場合、クーポン取得アプリ１０はＧＰＳ（Ｇｌｏｂａｌ
Ｐｏｓｉｔｉｏｎｉｎｇ Ｓｙｓｔｅｍ）を利用して店舗の場所、またはチェーン展開されて複数の店舗があるときには現在地から近い順に系列店舗を表示画面１ａに表示する。店舗検索は、カテゴリ検索（地域検索）や店舗名に含まれている単語で検索するフリーワード検索によっても行える。そして、店舗の検索後には、地図アプリの起動により地図上の選択店舗が表示されて、ルート案内が可能となる。この店舗検索機能は、会員登録時のお気に入り店舗へ入力するときにも利用できる。クーポン取得アプリ１０がこのような店舗検索機能を有することで、店舗側にとっては新規顧客の開拓につながる。
【００４４】
上記したクーポン配信システム１００によれば、アプリケーションサーバ３からダウンロードしたクーポン取得アプリを起動することでクーポンを取得することができる。したがって、クーポンが必要な顧客に対して、クーポンを配信するために効率的である。そして、クーポン取得アプリを用いて、携帯端末装置１からクーポン配信会員に新規登録が行えるために、わざわざ店舗に出向いて入会手続きを行う必要がなく、店舗側にとって会員数の増大に繋げることができる。
【符号の説明】
【００４５】
１      携帯端末装置
２      アプリケーションサーバ
３      クーポンサーバ
４      ＰＯＳシステム（販売時点管理システム）
５      ネットワーク
６      精算端末機（クーポン処理機）
１０    クーポン取得アプリケーション
１１    新規会員登録手段
１２    クーポンデータ通信手段
１３    クーポン表示手段
１４    クーポン取得手段
１６    クーポン配信手段
１７    クーポン管理手段
【図１】
2018045473.tif 000003
【図２】
2018045473.tif 000004
【図３】
2018045473.tif 000005
【図４】
2018045473.tif 000006
【図５】
2018045473.tif 000007
【図６】
2018045473.tif 000008
【図７】
2018045473.tif 000009
【図８】
2018045473.tif 000010